(57)【特許請求の範囲】
【請求項１】
本体にスピーカが設けられ、且つ前記本体の表面の所定領域を覆うカバーにマイクが設けられた携帯通信装置において、
前記カバーを前記本体の長手方向に折り畳み可能な複数のピースで構成し、前記折り畳み可能な複数のピースを伸ばして前記本体表面の所定領域を覆う不使用状態と、前記折り畳み可能な複数のピースを折り畳んで前記本体表面の所定領域を露出させる使用状態とを取り得るようにしたことを特徴とする携帯通信装置。
【請求項２】
前記カバーを構成する前記複数のピースのうち、一のピースに前記マイクを配置し、使用状態である折り畳んだ状態で他のピースの前記マイクと対向する位置にマイク孔を形成したことを特徴とする請求項１記載の携帯通信装置。
【請求項３】
前記マイクを配置した前記一のピースは、前記本体に対し直接接続されるピースであることを特徴とする請求項２記載の携帯通信装置。
【請求項４】
前記カバーを使用状態である折り畳んだ状態にしたときにオンとなるスイッチが前記本体に設けられていることを特徴とする請求項１乃至３の何れかに記載の携帯通信装置。
【発明の詳細な説明】
【０００１】
【発明の属する技術分野】
本発明は、携帯電話機等の携帯通信装置、特に、マイク付きカバーを備えた携帯通信装置に関するものである。
【０００２】
【従来の技術】
近年、携帯電話機が広く普及しており、小型化を図った携帯電話機として、不使用時に操作キー等を保護するマイク付きカバーを、電話機本体に対し下端の回転軸を中心として開閉自在に備えたものがある。
このような携帯電話機等の携帯通信装置のマイク付きカバーは従来から１枚のものであり、携帯通信装置としては、その長手方向の寸法に制約があった。
即ち、マイク付きカバーを備えた携帯通信装置においては、そのカバーを閉めた不使用状態での長手方向の寸法と、カバーを開けた使用状態での長手方向の寸法とが、携帯通信装置のデザイン上の面から、固定的な関係となってしまう。つまり、カバーを開いたときのマイクとスピーカの位置関係から、携帯通信装置のカバーを長手方向に長くすると、携帯通信装置本体の長さを短くし、また、携帯通信装置本体を長手方向に長くすると、カバーの長さを短くしなければならないことを意味している。
【０００３】
【発明が解決しようとする課題】
以上のような事情から従来は、カバーで保護する部分、即ち、操作キー等の部分を大きくしようとすると、携帯通信装置本体を短くし、逆に、カバーを小さくしようとすると、通信装置本体を長く設計しなければならないという問題が発生していた。
【０００４】
本発明の課題は、カバー付きの携帯通信装置の使用時の寸法が一定であっても、携帯通信装置本体とカバーとの長さを自由に設定できるようにすることである。
【０００５】
【課題を解決するための手段】
以上の課題を解決すべく請求項１記載の発明は、
本体にスピーカが設けられ、且つ前記本体の表面の所定領域を覆うカバーにマイクが設けられた携帯通信装置において、
前記カバーを前記本体の長手方向に折り畳み可能な複数のピースで構成し、前記折り畳み可能な複数のピースを伸ばして前記本体表面の所定領域を覆う不使用状態と、前記折り畳み可能な複数のピースを折り畳んで前記本体表面の所定領域を露出させる使用状態（通話可能形態）とを取り得るようにしたことを特徴としている。
【０００６】
以上の構成によれば、携帯通信装置本体の表面の所定領域（例えば、表示部と操作キー部とが設けられた領域）を覆うカバーが、前記本体の長手方向に折り畳み可能な複数のピースで構成され、複数のピースを伸ばして前記本体表面の所定領域を覆う不使用状態と、前記折り畳み可能な複数のピースを折り畳んで前記本体表面の所定領域を露出させる使用状態（通話可能形態）とを取り得る。つまり、不使用状態と使用状態（通話可能形態）とでカバーの長さが変化する。
従って、カバー付きの携帯通信装置の使用時の寸法が一定であっても、携帯通信装置本体とカバーとの長さを自由に設定して、自由なデザインによる設計が可能となる。
【０００７】
そして、請求項２記載の発明は、
請求項１記載の携帯通信装置において、
前記カバーを構成する折り畳み可能な前記複数のピースのうち、一のピースに前記マイクを配置し、使用状態である折り畳んだ状態で他のピースの前記マイクと対向する位置にマイク孔を形成したことを特徴としている。
【０００８】
以上の構成によれば、カバーを構成する折り畳み可能な前記複数（２つ等）のピースをスライドさせる等により使用状態である折り畳んだ状態にすると、一のピースに配置したマイクと他のピースに形成したマイク孔との位置が合って、一のピースのマイク孔を通して他のピースのマイクに音声を感知させられる。
【０００９】
さらに、請求項３記載の発明は、
請求項２記載の携帯通信装置において、
前記マイクを配置した前記一のピースは、前記本体に対し回転軸等により直接接続されるピースであることを特徴としている。
【００１０】
以上の構成によれば、カバーを構成する複数のピースのうち、マイクを配置した一のピースが本体に対し直接接続されているので、本体からマイクへの配線を、本体に対し開閉自在に直接接続した一のピースの回転軸部分を経由させるだけでよくなることから、本体からマイクへの配線の引き回しが楽なものとなる。
従って、折り畳み式カバーの組立工程の簡素化が図れると共に、本体からマイクへの配線が最少である一つの回転軸部分を経由するだけとなって、耐久性の向上も図れる。
【００１１】
また、請求項４記載の発明は、
請求項１乃至３の何れかに記載の携帯通信装置において、
前記カバーを使用状態である折り畳んだ状態にしたときにオンとなるスイッチ、例えばオフフック検出スイッチが前記本体に設けられていることを特徴としている。
【００１２】
以上の構成によれば、前記カバーをスライドさせる等により使用状態である折り畳んだ状態にしたときに、オフフック検出スイッチがオンとなって自動的に通信が行えるようになるなど、使い勝手がよいものとなる。
【００１３】
【発明の実施の形態】
以下に、本発明に係る携帯通信装置の実施の形態例を図１から図９に基づいて説明する。先ず、図１は本発明を適用した携帯通信装置の一例としての携帯電話機を示すもので、（ａ）はカバーを閉じた状態の正面図、（ｂ）はカバーを閉じた状態の側面図であり、図２はその携帯電話機を上下方向から見たもので、（ａ）は上方から見た平面図、（ｂ）は下方から見た底面図であり、さらに、図３は図１の携帯電話機の背面図である。また、図４は図１の携帯電話機においてカバーを開いて折り畳んだ使用状態を示すもので、（ａ）は正面図、（ｂ）は側面図である。
【００１４】
これらの図１から図４において、１は携帯電話機本体、２は折り畳み式カバー、３は操作キー（ダイヤルキー）部、４は液晶表示部、５は電源スイッチ、６は充電端子、７はアンテナヘッド、８は発光部、９は音量キー、１０は開／通話キー、１１は他のキー、１２はカバー収納部、１３はスライド溝、１４はオフフック検出スイッチ、１５はスピーカ孔、１６は第１のカバーピース、１７は第２のカバーピース、１８は折り畳み軸部、１９はマイク孔である。
即ち、この携帯電話機本体１は、図示のように、折り畳み式カバー２を備えたもので、この折り畳み式カバー２により覆われる部分に、タッチパネルにダイヤルキーが並ぶ操作キー部３及びその上方の液晶表示部４を設けている。
なお、液晶表示部４は、図１（ａ）の矢印Ａ−Ａ線に沿った断面図である図５に示すように、液晶表示パネル４ａ及び表示ガラス４ｂからなる。
【００１５】
また、携帯電話機本体１には、図示のように、背面にスライドツマミタイプの電源スイッチ５が、下面に充電端子６，６が、上部の一隅部にアンテナヘッド７が、上部の中央部に受信を報知するためのＬＥＤ（Ｌｉｇｈｔ  Ｅｍｉｔｔｉｎｇ  Ｄｉｏｄｅ：発光ダイオード）による発光部８が、一側面に音量キー９が、他側面に開／通話キー１０が、上部の他隅部のキー１１が、それぞれ設けられている。
そして、携帯電話機本体１の操作キー部３及び液晶表示部４を囲むようにカバー収納部１２が形成されており、このカバー収納部１２の左右両側には、図１（ａ）の矢印Ｂ−Ｂ線に沿った断面図である図６に示すように、長手方向に沿ったスライド溝１３がそれぞれ形成されている。
なお、一方のスライド溝１３の下端部には、電子回路上で通信可能状態とするためのオフフック検出スイッチ１４が設けられている。
また、携帯電話機本体１の正面上部で前記発光部８の下には、スピーカ孔１５が形成されており、その内方には、図９に簡略して示すように、スピーカ２３が配設されている。
【００１６】
他方、折り畳み式カバー２は、図４（ａ）の矢印Ｃ−Ｃ線に沿った断面図である図７と単品正面図である図８に示すように、第１のカバーピース１６と第２のカバーピース１７とから構成されている。
即ち、折り畳み式カバー２は、第１のカバーピース１６と第２のカバーピース１７とを折り畳み軸部１８により互いに重なり合うよう折り畳み自在に連結して、第２のカバーピース１７の折り畳み軸部１８の近傍の中央部に、図示例では横に３個並んだマイク孔１９，１９，１９を形成している。
また、第１のカバーピース１６の折り畳み軸部１８の近傍の中央部内面には、折り畳み軸部１８で折り畳んだ状態の第２のカバーピース１７のマイク孔１９，１９，１９と対応する位置にマイク２０を設けている。
【００１７】
なお、図８に示したように、第１のカバーピース１６の下部左右には、ヒンジ軸２１，２１がそれぞれ設けられ、また、第２のカバーピース１７の上部左右には、スライド軸２２，２２がそれぞれ設けられている。
以上の折り畳み式カバー２は、第１のカバーピース１６の下部左右のヒンジ軸２１，２１により、携帯電話機本体１のカバー収納部１２の左右のスライド溝１３，１３の下方に回動自在に取り付ける。
そして、第２のカバーピース１７の上部左右のスライド軸２２，２２を、スライド溝１３，１３にそれぞれスライド自在に係合している。
【００１８】
以上のような構成の折り畳み式カバー２を携帯電話機本体１に備えたので、不使用状態においては、図１（ａ）及び（ｂ）、図５に示したように、第１のカバーピース１６及び第２のカバーピース１７を伸ばした状態にして携帯電話機本体１の操作キー部３及び液晶表示部４を覆った状態にすることができる。
そして、通話を行う場合は、第２のカバーピース１７をその左右のスライド軸２２，２２で携帯電話機本体１のカバー収納部１２のスライド溝１３，１３に沿って下方にスライドすると共に、第１のカバーピース１６をその左右のヒンジ軸２１，２１で携帯電話機本体１のカバー収納部１２の下部に対し下方に回動させる。
このような折り畳み式カバー２の使用の形態例を示したのが図９であり、その折り畳み式カバー２を閉じた状態から開き始めた状態を図９（ａ）に示し、折り畳み式カバー２を開いて折り畳み状態に至る直前の状態を図９（ｂ）に示しており、最終的に折り畳み式カバー２を携帯電話機本体１に対し１５０゜まで完全に開いた折り畳み状態を図９（ｃ）に示している。
【００１９】
ここで、第１のカバーピース１６に対し第２のカバーピース１７を折り畳み軸部１８で折り畳んで、図７及び図９（ｃ）に示したように、第１のカバーピース１６の内面側に第２のカバーピース１７を重ねるようにして折り畳み式カバー２を完全に開いた状態において、一方のスライド溝１３の下端部に設けたオフフック検出スイッチ１４がスライド軸２２により押されて通信可能状態となる。
そして、第２のカバーピース１７のマイク孔１９，１９，１９の位置に第１のカバーピース１６の内面のマイク２０が対応しているので、通話の際には、携帯電話機本体１の正面上部のスピーカ孔１５に耳を当てた状態で相手側の音声を聞く一方、折り畳み式カバー２を開いて折り畳んだ状態の第２のカバーピース１７のマイク孔１９，１９，１９から自分側の音声を第１のカバーピース１６のマイク２０に感知させることができる。
【００２０】
以上の通り、実施の形態例では、携帯電話機本体１に対し開閉操作するマイク付きカバーを、第１及び第２の両カバーピース１６，１７による２ピース構造の折り畳み式カバー２としたことによって、この折り畳み式カバー２を閉じた状態では、携帯電話機本体１の主要部分である操作キー部３及び液晶表示部４を覆って保護することができる。
しかも、折り畳み式カバー２を開いた状態で、携帯電話機本体１側のスピーカ２３（スピーカ孔１５）とカバー２側のマイク２０（マイク孔１９）との適切な位置（距離）を確保することができる。
従って、携帯電話機としての通話状態（使用状態）での携帯電話機本体１側のスピーカ２３（スピーカ孔１５）とカバー２側のマイク２０（マイク孔１９）との間の寸法が一定であっても、携帯電話機本体１と折り畳み式カバー２との長さを自由に設定することができる。つまり、携帯電話機本体とマイク付きカバーを自由なデザインで設計することができる。
【００２１】
また、携帯電話機本体１に対しヒンジ軸２１，２１により直接接続した第１のカバーピース１６にマイク２０を設けて、携帯電話機本体１からマイク２０への配線を一段の回転軸部分を経由させるだけにしたことによって、携帯電話機本体１からマイク２０への配線の引き回しが楽なものとなっている。
従って、折り畳み式カバー２として、例えば、折り畳み軸部１８をも含んだ２段の回転軸部分にマイクへの配線を経由させるものと比べ、組立工程を簡素することができる共に、耐久性も向上することができるといった利点も得られる。
【００２２】
なお、以上の実施の形態例においては、携帯通信装置を携帯電話機としたが、本発明はこれに限定されるものではなく、他の携帯無線機等の携帯通信装置であってもよい。
また、折り畳み式カバーを構成するピース数も２つに限らず３つ以上でもよい。
さらに、上記の実施の形態では、折り畳み式カバー２の開閉状態を閉じたときと開いたときの２つの状態としたが、これに限らず、開いたときの状態を複数の状態としてもよい。例えば、図９（ｂ）に示すような状態でロックするようにしてもよく、この場合、図１０に示すように、例えば、スライド溝１３にスライド軸２２を受ける凹部１３ａ，１３ａ，１３ａ，…を設けるようにすればよい。
また、その他、具体的な細部構造等についても適宜に変更可能であることは勿論である。
【００２３】
【発明の効果】
以上のように、請求項１記載の発明に係る携帯通信装置によれば、携帯通信装置本体の表面の所定領域、例えば、表示部と操作キー部とが設けられた領域を覆うカバーが、前記本体の長手方向に折畳み可能な複数のピースで構成され、複数のピースを伸ばして前記本体表面の所定領域を覆う不使用状態と、前記折畳み可能な複数のピースを折り畳んで前記本体表面の所定領域を露出させた使用状態（通話可能形態）とを取り得、不使用状態と使用状態（通話可能形態）とでカバーの長さが変化するため、カバー付きの携帯通信装置の使用時の寸法が一定であっても、携帯通信装置本体とカバーとの長さを自由に設定することができ、即ち、自由なデザインで設計することができる。
【００２４】
そして、請求項２記載の発明に係る携帯通信装置によれば、カバーを構成する複数のピースのうちの一のピースにマイクを配置して、使用状態（通話可能形態）である折り畳んだ状態で他のピースの前記マイクと対向する位置にマイク孔を形成したため、請求項１記載の発明により得られる効果に加えて、カバーを折り畳んだ使用状態において、一のピース側のマイクと他のピース側のマイク孔との位置を合わせて、一のピースのマイク孔を通して他のピースのマイクに音声を感知させることができる。
【００２５】
さらに、請求項３記載の発明に係る携帯通信装置によれば、マイクを配置した一のピースが本体に対し直接接続されており、本体からマイクへの配線を、本体に対し開閉自在に直接接続した一のピースの回転軸部分を経由させるだけでよく、本体からマイクへの配線の引き回しが楽なものとなるため、請求項２記載の発明により得られる効果に加えて、折り畳み式カバーの組立工程の簡素化と共に、耐久性の向上も達成することができる。
【００２６】
また、請求項４記載の発明に係る携帯通信装置によれば、前記カバーを使用状態（通話可能形態）である折り畳んだ状態にしたときにオンとなるスイッチ、例えばオフフック検出スイッチが前記本体に設けられているので、請求項１、２または３記載の発明により得られる効果に加えて、カバーを折り畳めば自動的に通信が行えるようになるなど、使い勝手に優れたものとなる。
【図面の簡単な説明】
【図１】本発明を適用した携帯通信装置の一例としての携帯電話機を示すもので、（ａ）はカバーを閉じた状態の正面図、（ｂ）はカバーを閉じた状態の側面図である。
【図２】図１の携帯電話機を上下方向から見たもので、（ａ）は上方から見た平面図、（ｂ）は下方から見た底面図である。
【図３】図１の携帯電話機の背面図である。
【図４】図１の携帯電話機においてカバーを開いて折り畳んだ使用状態を示すもので、（ａ）は正面図、（ｂ）は側面図である。
【図５】図１（ａ）の矢印Ａ−Ａ線に沿った断面図である。
【図６】図１（ａ）の矢印Ｂ−Ｂ線に沿った断面図である。
【図７】図４（ａ）の矢印Ｃ−Ｃ線に沿った断面図である。
【図８】図１の折り畳み式カバーの単品正面図である。
【図９】折り畳み式カバーの使用の形態例を示したもので、（ａ）はカバーを閉じた状態から開き始めた状態を示す要部破断の概略側面図、（ｂ）はカバーを開いて折り畳み状態に至る直前の状態を示す要部破断の概略側面図、（ｃ）はカバーを開いた折り畳み状態を示す要部破断の概略側面図である。
【図１０】本実施の形態の変形例の要部を示した概略図である。
【符号の説明】
１  本体
２  折り畳み式カバー
３  操作キー部
４  表示部
１２  カバー収納部
１３  スライド溝
１４  オフフック検出スイッチ
１５  スピーカ孔
１６  第１のカバーピース
１７  第２のカバーピース
１８  折り畳み軸部
１９  マイク孔
２０  マイク
２１  ヒンジ軸
２２  スライド軸
２３  スピーカ
【図１】
0003692584.tif 000002
【図２】
0003692584.tif 000003
【図３】
0003692584.tif 000004
【図４】
0003692584.tif 000005
【図５】
0003692584.tif 000006
【図６】
0003692584.tif 000007
【図７】
0003692584.tif 000008
【図８】
0003692584.tif 000009
【図９】
0003692584.tif 000010
【図１０】
0003692584.tif 000011